(57)【要約】【課題】小孔から挿入できるとともに鋼管内部の堆積物および鉄塔内面の錆を効率的に取り除くことができる鋼管内面ケレン用治具を提供する。【解決手段】一方の端部が第１の圧着止部材１６により圧着止めされたワイヤーロープ１１と、ワイヤーロープ１１側の端部がワイヤーロープ１１の他方の端部とともに第２の圧着止部材１７により圧着止めされた第１および第２のワイヤーロープ先端部１２，１３と、第１および第２のワイヤーロープ先端部１２，１３側の端部が第１および第２のワイヤーロープ先端部１２，１３の他方の端部とともに第３および第４の圧着止部材１８，１９により圧着止めされた第１および第２のブラシ状部１４，１５とを備える。【選択図】  図１
2005144266.tif 000002
【特許請求の範囲】
【請求項１】
一方の端部が第１の圧着止部材（１６）により圧着止めされたワイヤーロープ（１１）と、
該ワイヤーロープ（１１）側の端部が該ワイヤーロープ（１１）の他方の端部とともに第２の圧着止部材（１７）により圧着止めされた第１および第２のワイヤーロープ先端部（１２，１３）と、
該第１および第２のワイヤーロープ先端部（１２，１３）側の端部が該第１および第２のワイヤーロープ先端部（１２，１３）の他方の端部とともに第３および第４の圧着止部材（１８，１９）により圧着止めされた第１および第２のブラシ状部（１４，１５）と、
を備えることを特徴とする、小孔より挿入できる鋼管内面ケレン用治具。
【請求項２】
前記ワイヤーロープ（１１）が６本のストランドから構成されており、
前記第１および第２のワイヤーロープ先端部（１２，１３）が前記６本のストランドを２本切り落として４本とし２本ずつを束ねて構成されており、
前記第１および第２のブラシ状部（１４，１５）が前記６本のストランドを２本切り落として４本とし２本ずつを束ねたものの先端をほどくことにより構成されている、
ことを特徴とする、請求項１記載の小孔より挿入できる鋼管内面ケレン用治具。
【請求項３】
前記第１の圧着止部材（１６）がインパクトドリル（４０）に装着されて、該インパクトドリル（４０）により前記ワイヤーロープ（１１）が低速回転させられることを特徴とする、請求項１または２記載の小孔より挿入できる鋼管内面ケレン用治具。
【請求項４】
前記ワイヤーロープ（１１）が前記インパクトドリル（４０）により毎分５５０回転以下で低速回転させられることを特徴とする、請求項３記載の小孔より挿入できる鋼管内面ケレン用治具。
【請求項５】
前記鋼管内面ケレン用治具（１）を用いて鋼管の内面のケレン作業を行うときに、前記ワイヤーロープ（１１）が該鋼管に固定された安全器具（２０）のパイプ部（２２）を通されて該鋼管内に挿入されることを特徴とする、請求項１乃至４いずれかに記載の小孔より挿入できる鋼管内面ケレン用治具。
【請求項６】
前記安全器具（２０）のパイプ部（２２）が、スライド式の内側パイプ（２３）および外側パイプ（２４）からなることを特徴とする、請求項５記載の小孔より挿入できる鋼管内面ケレン用治具。
【請求項７】
一方の端部が第１の圧着止部材（１０３）により圧着止めされたワイヤーロープ（１０１）と、
該ワイヤーロープ（１０１）側の端部が該ワイヤーロープ（１０１）の他方の端部とともに第２の圧着止部材（１０４）により圧着止めされたブラシ状部（１０２）と、
を備えることを特徴とする、小孔より挿入できる鋼管内面ケレン用治具。
【請求項８】
前記ワイヤーロープ（１０１）が６本のストランドから構成されており、
前記ブラシ状部（１０２）が前記６本のストランドの先端をほどくことにより構成されている、
ことを特徴とする、請求項５記載の小孔より挿入できる鋼管内面ケレン用治具。
【請求項９】
前記第１の圧着止部材（１０３）がインパクトドリル（４０）に装着されて、該インパクトドリル（４０）により前記ワイヤーロープ（１０１）が低速回転させられることを特徴とする、請求項５または６記載の小孔より挿入できる鋼管内面ケレン用治具。
【請求項１０】
前記ワイヤーロープ（１０１）が前記インパクトドリル（４０）により毎分５５０回転以下で低速回転させられることを特徴とする、請求項７記載の小孔より挿入できる鋼管内面ケレン用治具。
【発明の詳細な説明】
【技術分野】
【０００１】
本発明は、小孔より挿入できる鋼管内面ケレン用治具に関し、特に、主柱材を鋼管で構成された架空送電線用鉄塔などの鋼管内面をケレンするために主柱材に取り付けられた止水板の水抜き穴（小孔）より容易に挿入できる鋼管内面ケレン用治具に関する。
【背景技術】
【０００２】
主柱材が鋼管で構成された架空送電線用鉄塔では、主柱材の基礎位置に取り付けられた止水板の水抜き穴（小孔）から昆虫などが入り込んで巣を作ったり、水抜き穴から土砂やごみが入り込んで固まってこびりついたりすることがある。また、鋼管内面が錆びてくることもある。そこで、従来は、止水板の水抜き穴から針金や棒などを差し込んで、このような鋼管内部に溜まった土砂や昆虫の巣およびごみなどの異物や鋼管内面の錆を取り除いていた。
【０００３】
しかし、針金や棒などの先端が細い道具で鋼管内を掃除しても偏った部分しか掃除できないため、効率的に鋼管内を掃除する治具として、以下に示す特許文献に開示されているものが提案されている。
【特許文献１】実用新案第３０５６３９５号公報
【特許文献２】特開２００３−２００１２４号公報
【発明の開示】
【発明が解決しようとする課題】
【０００４】
上記特許文献１（実用新案第３０５６３９５号公報）は、長さが異なり湾曲した一対の板バネからなる治具部と弾性に富む金属製のチューブとを接合し、ガイドチューブにチューブを通して突き出し、チューブ端部に取り付けた駆動部から回転力を与えることで、鋼管内の土砂，蜂の巣およびごみなどの固まりを粉砕することができる鋼管内異物粉砕機を開示する。しかしながら、このような鋼管内異物粉砕機は、異物を粉砕するには有効であるかもしれないが、鋼管内面の錆を取り除くためには未だ効率性の改善の余地がある。
【０００５】
上記特許文献２（特開２００３−２００１２４号公報）は、湾曲させた板バネの端部と、自由に弾性変形しかつ丈夫であるチューブが接合され、板バネはチューブを中心として複数枚が対称に接合されており、チューブは、チューブ径より若干内径が太いガイドパイプに通された後、回転力を与えられる駆動部へ接合される、鋼管内壁のケレン用治具を開示する。しかしながら、このようなケレン用治具では、板バネは鋼管内壁と線状に接触するため鋼管内面の錆を取り除くためには未だ効率性の改善の余地がある。また、板バネを鋼管内部で垂直に立てるためにワイヤーやワイヤー固定金具を必要とし構造が複雑となる。
【０００６】
本発明の目的は、主柱材が鋼管で構成された架空送電線用鉄塔の止水板に設けられた水抜き穴のような小孔から挿入できるとともに、鉄塔内部で固まった土砂や昆虫の巣およびごみなどの堆積物を取り除きかつ鉄塔内面の錆を効率的にケレンできる鋼管内面ケレン用治具を提供することにある。
【課題を解決するための手段】
【０００７】
本発明の第１の小孔より挿入できる鋼管内面ケレン用治具（１）は、一方の端部が第１の圧着止部材（１６）により圧着止めされたワイヤーロープ（１１）と、該ワイヤーロープ（１１）側の端部が該ワイヤーロープ（１１）の他方の端部とともに第２の圧着止部材（１７）により圧着止めされた第１および第２のワイヤーロープ先端部（１２，１３）と、該第１および第２のワイヤーロープ先端部（１２，１３）側の端部が該第１および第２のワイヤーロープ先端部（１２，１３）の他方の端部とともに第３および第４の圧着止部材（１８，１９）により圧着止めされた第１および第２のブラシ状部（１４，１５）とを備えることを特徴とする。
ここで、前記ワイヤーロープ（１１）が６本のストランドから構成されており、前記第１および第２のワイヤーロープ先端部（１２，１３）が前記６本のストランドを２本切り落として４本とし２本ずつを束ねて構成されており、前記第１および第２のブラシ状部（１４，１５）が前記６本のストランドを２本切り落として４本とし２本ずつを束ねたものの先端をほどくことにより構成されていてもよい。
前記第１の圧着止部材（１６）がインパクトドリル（４０）に装着されて、該インパクトドリル（４０）により前記ワイヤーロープ（１１）が低速回転させられてもよい。
前記ワイヤーロープ（１１）が前記インパクトドリル（４０）により毎分５５０回転以下で低速回転させられてもよい。
前記鋼管内面ケレン用治具（１）を用いて鋼管の内面のケレン作業を行うときに、前記ワイヤーロープ（１１）が該鋼管に固定された安全器具（２０）のパイプ部（２２）を通されて該鋼管内に挿入されてもよい。
前記安全器具（２０）のパイプ部（２２）が、スライド式の内側パイプ（２３）および外側パイプ（２４）からなってもよい。
【０００８】
本発明の第２の小孔より挿入できる鋼管内面ケレン用治具（１００）は、一方の端部が第１の圧着止部材（１０３）により圧着止めされたワイヤーロープ（１０１）と、該ワイヤーロープ（１０１）側の端部が該ワイヤーロープ（１０１）の他方の端部とともに第２の圧着止部材（１０４）により圧着止めされたブラシ状部（１０２）とを備えることを特徴とする。
ここで、前記ワイヤーロープ（１０１）が６本のストランドから構成されており、前記ブラシ状部（１０２）が前記６本のストランドの先端をほどくことにより構成されていてもよい。
前記第１の圧着止部材（１０３）がインパクトドリル（４０）に装着されて、該インパクトドリル（４０）により前記ワイヤーロープ（１０１）が低速回転させられてもよい。
前記ワイヤーロープ（１０１）が前記インパクトドリル（４０）により毎分５５０回転以下で低速回転させられてもよい。
【発明の効果】
【０００９】
本発明の小孔より挿入できる鋼管内面ケレン用治具は、以下に示すような効果を奏する。
（１）鋼管内面ケレン用治具の先端部をブラシ状とすることにより、鋼管内面ケレン用治具の先端部と鋼管内面との接触面積を大きくすることができるため、鋼管内部で固まった堆積物を効率的に取り除いたり鋼管内面の錆を効率的にケレンしたりすることができる。
（２）ケレン作業を行う部分に応じて鋼管内面ケレン用治具のワイヤーロープの長さを変えたり鋼管内面ケレン用治具の先端部に設けられるブラシ状部の数を変えたりすることにより、鋼管内面のケレン作業範囲を均一に表面目荒らしすることができ、鋼管内部で固まった堆積物を効率的に取り除いたり鋼管内面の錆を効率的にケレンしたりすることができる。
【発明を実施するための最良の形態】
【００１０】
主柱材が鋼管で構成された架空送電線用鉄塔の止水板に設けられた水抜き穴のような小孔から挿入できるとともに、鋼管内部で固まった土砂や昆虫の巣およびごみなどの堆積物を取り除きかつ鋼管内面の錆を効率的にケレンできるという目的を、鋼管内面ケレン用治具の先端部をブラシ状とすることにより実現した。
【実施例１】
【００１１】
以下、本発明の小孔より挿入できる鋼管内面ケレン用治具の実施例について図面を参照して説明する。
本発明の第１の実施例による鋼管内面ケレン用治具１は、図１に示すように、ワイヤーロープ１１と、第１および第２のワイヤーロープ先端部１２，１３と、第１および第２のブラシ状部１４，１５と、第１乃至第４の圧着止部材１６〜１９とを備える。
【００１２】
ここで、ワイヤーロープ１１は、直径が８ｍｍで長さが１２００ｍｍであり、６本のストランドから構成されている。また、ワイヤーロープ１１の第１および第２のワイヤーロープ先端部１２，１３と反対側の端部は第１の圧着止部材１６により圧着止めされている。
第１および第２のワイヤーロープ先端部１２，１３は、ワイヤーロープ１１を構成する６本のストランドを２本切り落として４本とし２本ずつを束ねて構成されたものである。また、第１および第２のワイヤーロープ先端部１２，１３のワイヤーロープ１１側の端部は、ワイヤーロープ１１の他方の端部とともに第２の圧着止部材１７により圧着止めされている。第１および第２のワイヤーロープ先端部１２，１３の長さは２００ｍｍである。
第１および第２のブラシ状部１４，１５は、ワイヤーロープ１１を構成する６本のストランドを２本切り落として４本とし２本ずつを束ねたものの先端をほどくことにより構成されたものである（図２参照）。また、第１および第２のブラシ状部１４，１５の第１および第２のワイヤーロープ先端部１２，１３側の端部は、第１および第２のワイヤーロープ先端部１２，１３の他方の端部とともに第３および第４の圧着止部材１８，１９により圧着止めされている。第１および第２のブラシ状部１４，１５の長さは１００ｍｍである。
【００１３】
次に、鋼管内面ケレン用治具１を用いて、図３（ａ）に示すようなφ（内径）が３００ｍｍでかつ施工範囲（ケレン作業範囲）がフランジ３１から上の１０００ｍｍである架空送電線用鉄塔３０（以下、「鉄塔３０」と称する。）のケレン作業を行う方法について説明する。
鋼管内面ケレン用治具１の第１および第２のブラシ状部１４，１５を鉄塔３０のフランジ３１に設けられている水抜き穴３２の一つから鉄塔３０の内部に挿入する。鉄塔３０の内部に挿入された鋼管内面ケレン用治具１は、図３（ｂ）に示すように止水板３３の上面に設けられている溝３４（２本の溝３４が交差するように切られている。）内を進んだのちに、鉄塔３０の内面に沿って上方に進んでいく。
【００１４】
ここで、鉄塔３０に挿入後、たとえばワイヤーロープ１１の第１の圧着止部材１６側の部分が鉄塔３０から２００ｍｍ以上出る場合には、図４（ａ），（ｂ）に示す安全器具２０を使用して、後述するようにケレン作業中にワイヤーロープ１１を回転させたときに鉄塔３０より出ているワイヤーロープ１１に作業員が巻き込まれないようにする。
安全器具２０は、長さが１２０ｍｍで幅が５０ｍｍのコの字状の固定部２１と、スライド式の内側パイプ２３および外側パイプ２４からなるパイプ部２２とからなり、内側パイプ２３内にワイヤーロープ１１を通すことにより使用される。また、安全器具２０は、固定部２１の両側面に設けられた締め付けボルトを用いて固定部２１を鉄塔３０のフランジ３１に取り付けることにより、フランジ３１に固定される。
外側パイプ２４の一端は固定部２１に接合されており、また、内側パイプ２３は、長さが３５０ｍｍであり、長さが３２０ｍｍである外側パイプ２４よりも長くされている。したがって、内側パイプ２３を外側パイプ２４に収納したときには、内側パイプ２３の固定部２１側の端部は固定部２１と外側パイプ２４の接合部からはみ出るようにされている。
なお、安全器具２０は、ワイヤーロープ１１が鉄塔３０から出る部分が２００ｍｍ未満である場合には必ずしも使用する必要はない。
【００１５】
続いて、図５に示すように、鋼管内面ケレン用治具１の第１の圧着止部材１６をインパクトドリル４０に装着したのち、インパクトドリル４０を駆動してワイヤーロープ１１を回転させる。これにより、鋼管内面ケレン用治具１の第１および第２のワイヤーロープ先端部１２，１３と第１および第２のブラシ状部１４，１５とは、第２の圧着止部材１７の部分から開きながら鉄塔３０の内面に沿って回転する。その結果、第１および第２のブラシ状部１４，１５はその先端部が鉄塔３０の内面を擦りながら鉄塔３０の内面に沿って回転するため、鉄塔３０の内部で固まった土砂や昆虫の巣およびごみなどの堆積物や鉄塔内面の錆を取り除くことができる。ここで、鋼管内面ケレン用治具１の先端部は第１および第２のブラシ状部１４，１５となっているため、第１および第２のブラシ状部１４，１５と鉄塔３０の内面との接触面積を大きくすることができるので、効率的に堆積物や錆を取り除くことができる。
【００１６】
なお、インパクトドリル４０を駆動してワイヤーロープ１１を回転させる際に、鋼管内面ケレン用治具１を高速回転させると、鉄塔３０の内部に挿入されたワイヤーロープ１１がキンクしてしまい、鉄塔３０の水抜き穴３２から取り出せなくなったり、第１および第２のブラシ状部１４，１５が鉄塔３０の内面に当たらなくなったりする場合があるため、鋼管内面ケレン用治具１は低速回転（たとえば、図１に示した鋼管内面ケレン用治具１では、好ましくは毎分５５０回転以下）させる。
【００１７】
また、鉄塔３０のケレン作業範囲の上方部分のケレン作業が終了した場合には、ワイヤーロープ１１の長さが９００ｍｍであることを除いては鋼管内面ケレン用治具１と同様にして構成された鋼管内面ケレン用治具を用いてケレン作業を行うことにより、鉄塔３０のケレン作業範囲の中間部分に付いた堆積物や錆をより効率的に取り除くことができる。
【実施例２】
【００１８】
次に、本発明の第２の実施例による鋼管内面ケレン用治具１００について、図６および図７を参照して説明する。
本実施例による鋼管内面ケレン用治具１００は、鉄塔３０の止水板３３の上面および止水板３３付近の鉄塔３０の内面に付いた付着物および錆を取り除くためのものであり、図６に示すように、ワイヤーロープ１０１とブラシ状部１０２と第１および第２の圧着止部材１０３，１０４とを備える。
ここで、ワイヤーロープ１０１は、直径が８ｍｍで長さが３５０ｍｍであり、６本のストランドから構成されたものである。また、ワイヤーロープ１０１のブラシ状部１０２と反対側の端は第１の圧着止部材１０３により圧着止めされている。
ブラシ状部１０２は、ワイヤーロープ１０１を構成する６本のストランドの先端を１５０ｍｍほどほどくことにより構成されたものである（図７参照）。また、ブラシ状部１０２のワイヤーロープ１０１側の端部はワイヤーロープ１０１の他方の端部とともに第２の圧着止部材１０４により圧着止めされている。
【００１９】
次に、鋼管内面ケレン用治具１００を用いて鉄塔３０のケレン作業を行う方法について説明する。
鋼管内面ケレン用治具１００のブラシ状部１０２側を鉄塔３０の水抜き穴３２から鉄塔３０の内部に挿入する。
続いて、鋼管内面ケレン用治具１００の第１の圧着止部材１０３をインパクトドリル４０に装着したのち（図５参照）、インパクトドリル４０を駆動してワイヤーロープ１０１を回転させる。これにより、鋼管内面ケレン用治具１００のブラシ状部１０２の先端部が回転しながら鉄塔３０の止水板３３の上面および止水板３３付近の鉄塔３０の内面を擦ることにより、これらの部分に付いた付着物および錆を取り除く。ここで、鋼管内面ケレン用治具１００の先端部はブラシ状部１０２となっているため、ブラシ状部１０２と止水板３３の上面および鉄塔３０の内面との接触面積を大きくすることができるので、効率的に堆積物や錆を取り除くことができる。
【００２０】
以上では、φが３００ｍｍでかつ施工範囲がフランジ３１から上の１０００ｍｍである鉄塔３０のケレン作業を行う場合を例として説明したが、これに限らず、たとえば、φが３００〜４００ｍｍでかつ施工範囲がフランジ３１から上の１０００〜１２０００ｍｍである鉄塔のケレン作業を行うのにも本発明の鋼管内面ケレン用治具を使用することができる。
【産業上の利用可能性】
【００２１】
以上説明したように、本発明の小孔より挿入できる鋼管内面ケレン用治具は、主柱材を鋼管で構成された架空送電線用鉄塔などの主柱材に取り付けられた止水板に設けられた水抜き穴のような小孔より挿入して鋼管内面をケレンするのに使用することができる。
【図面の簡単な説明】
【００２２】
【図１】本発明の第１の実施例による鋼管内面ケレン用治具の構成を示す図である。（実施例１）
【図２】図１に示した第１および第２のブラシ状部１４，１５の形状を説明するための図である。（実施例１）
【図３】図１に示した鋼管内面ケレン用治具１を用いてケレン作業を行う一例を説明するための図であり、（ａ）は鉄塔の施工範囲の部分を示す図であり、（ｂ）は鉄塔の止水板に設けられている溝を示す図である。（実施例１）
【図４】安全器具の構成を示す図であり、（ａ）は内側パイプを外側パイプに収納したときの図であり、（ｂ）は内側パイプを外側パイプから引き出したときの図である。（実施例１）
【図５】図１に示した鋼管内面ケレン用治具１を用いてケレン作業を行う一例を説明するための図である。（実施例１）
【図６】本発明の第２の実施例による鋼管内面ケレン用治具の構成を示す図である。（実施例２）
【図７】図６に示したブラシ状部１０２の形状を説明するための図である。（実施例２）
【符号の説明】
【００２３】
１，１００  鋼管内面ケレン用治具
１１，１０１  ワイヤーロープ
１２，１３  ワイヤーロープ先端部
１４，１５，１０２  ブラシ状部
１６〜１９，１０３，１０４  圧着止部材
２０  安全器具
２１  固定部
２２  パイプ部
２３  内側パイプ
２４  外側パイプ
３０  鉄塔
３１  フランジ
３２  水抜き穴
３３  止水板
３４  溝
４０  インパクトドリル
【図１】
2005144266.tif 000003
【図２】
2005144266.tif 000004
【図３】
2005144266.tif 000005
【図４】
2005144266.tif 000006
【図５】
2005144266.tif 000007
【図６】
2005144266.tif 000008
【図７】
2005144266.tif 000009